【手続補正書】
【提出日】平成19年2月2日(2007.2.2)
【手続補正１】
【補正対象書類名】明細書
【補正対象項目名】特許請求の範囲
【補正方法】変更
【補正の内容】
【特許請求の範囲】
【請求項１】  （ａ）構造式（Ｉ）のカーボネート構造単位３０〜９９モル％
【化１】
2002539310.tif 000001
（式中、Ｒ1又はＲ2の少なくとも１つは３位又は３′位にあることを条件として、Ｒ1及びＲ2は独立にＣ1〜Ｃ6アルキルからなる群から選択され、ＸはＣＨ2を表し、ｍは４〜７の整数であり、ｎは１〜４の整数であり、ｐは１〜４の整数である。）、及び
（ｂ）以下の（１）〜（５）からなる群から選択されるカーボネート構造単位１〜７０モル％（ただし、（ｂ）がビスフェノールＡ（ＢＰＡ）だけからなるときは（ｂ）が当該ポリカーボネートの２０モル％以下をなすことを条件とする。）
（１）式（II）のカーボネート構造単位
【化２】
2002539310.tif 000002
（式中、Ｒ3、Ｒ4及びＲ6は独立にＣ1〜Ｃ6アルキルを表し、各Ｒ5は独立にＨ及びＣ1〜Ｃ3アルキルからなる群から選択され、各ｎは独立に０、１及び２からなる群から選択され、Ｒ7はＨ又はＣ1〜Ｃ5アルキルである。）、
（２）式（III）のカーボネート構造単位
【化３】
2002539310.tif 000003
（式中、Ｒ8、Ｒ9、Ｒ12及びＲ13は独立にＣ1〜Ｃ6アルキルであり、Ｒ10及びＲ11は独立にＨ又はＣ1〜Ｃ5アルキルであり、各Ｒ14は独立にＨ及びＣ1〜Ｃ3アルキルからなる群から選択され、各ｎは独立に０、１及び２からなる群から選択される。）、
（３）式（IV）のカーボネート構造単位
【化４】
2002539310.tif 000004
（式中、各Ｒ15は独立にＨ及びＣ1〜Ｃ3アルキルからなる群から選択され、Ｒ16及びＲ17は独立にＣ1〜Ｃ6アルキル又はアリールである。）、
（４）構造式（II）のカーボネート構造単位と構造式（III）のカーボネート構造単位、及び
（５）構造式（III）のカーボネート構造単位と構造式（IV）のカーボネート構造単位
を含んでなり、１２０〜１８５℃のガラス転移温度及び０．３３％未満の吸水率を有する、ポリカーボネート。
【請求項２】  （ａ）が、１，１−ビス（４−ヒドロキシ−３−メチルフェニル）シクロヘキサン、１，１−ビス（４−ヒドロキシ−３−メチルフェニル）シクロペンタン、１，１−ビス（４−ヒドロキシ−３−メチルフェニル）シクロヘプタン及びこれらの混合物の残基からなる群から選択される、請求項１記載のポリカーボネート。
【請求項３】  （ｂ）が式（III）のカーボネート構造単位であるように選択され、この式（III）のカーボネート構造単位がさらに６，６′−ジヒドロキシ−３，３，３′，３′−テトラメチルスピロビインダン（ＳＢＩ）、６，６′−ジヒドロキシ−３，３，５，３′，３′，５′−ヘキサメチルスピロビインダン、６，６′−ジヒドロキシ−３，３，５，７，３′，３′，５′，７′−オクタメチルスピロビインダン、５，５′−ジエチル−６，６′−ジヒドロキシ−３，３，３′，３′−テトラメチルスピロビインダン及びこれらの混合物の残基からなる群から選択される、請求項２記載のポリカーボネート。
【請求項４】  構造式（Ｉ）中のＲ1及びＲ2がそれぞれ３位及び３′位にあり、ｎ及びｐが共に１に等しい、請求項１記載のポリカーボネート。
【請求項５】  成分（ａ）が次式の構造単位である、請求項１記載のポリカーボネート。
【化５】
2002539310.tif 000005
式中、Ｒ1及びＲ2はＣＨ3である。
【請求項６】  （ｃ）次の式（Ｖ）の構造単位をさらに含む、請求項１記載のポリカーボネート。
【化６】
2002539310.tif 000006
式中、ＺはＣ1〜Ｃ40枝分れ又は直鎖アルキル或いは枝分れ又は直鎖シクロアルキルである。
【請求項７】  （ｂ）が構造式（II）のカーボネート構造単位と構造式（III）のカーボネート構造単位であるように選択される、請求項１記載のポリカーボネート。
【請求項８】  構造単位（II）と構造単位（III）のモル比が１：９９〜９９：１である、請求項７記載のポリカーボネート。
【請求項９】  当該ポリカーボネートが構造式（Ｖ）の構造単位を０．１〜２０モル％含む、請求項１乃至請求項８のいずれか１項記載のポリカーボネート。
【請求項１０】  （ａ）が次の式の構造単位であり
【化７】
2002539310.tif 000007
（式中、Ｒ1及びＲ2はＣＨ3である。）、
（ｂ）が次の式の構造単位である
【化８】
2002539310.tif 000008
請求項１記載のポリカーボネート。
【請求項１１】  （ａ）が次の式の構造単位であり
【化９】
2002539310.tif 000009
（式中、Ｒ1及びＲ2はＣＨ3である。）、
（ｂ）が次の式の構造単位である
【化１０】
2002539310.tif 000010
請求項１記載のポリカーボネート。
【請求項１２】  （ａ）が次の式の構造単位であり
【化１１】
2002539310.tif 000011
（式中、Ｒ1及びＲ2はＣＨ3である。）、
（ｂ）が次の式の構造単位である
【化１２】
2002539310.tif 000012
請求項１記載のポリカーボネート。
【請求項１３】  （ａ）次の構造式のカーボネート構造単位３０〜９９モル％
【化１３】
2002539310.tif 000013
（式中、Ｒ1及びＲ2はＣＨ3である。）、及び
（ｂ）次の構造式のカーボネート構造単位１〜７０モル％
【化１４】
2002539310.tif 000014
を含んでなり、１２０〜１８５℃のガラス転移温度及び０．３３％未満の吸水率を有する、ポリカーボネート。
【請求項１４】  （ａ）対（ｂ）のモル比が８４：１６である、請求項１３記載のポリカーボネート。
【請求項１５】  １，１−ビス（４−ヒドロキシ−３−メチルフェニル）シクロヘキサン（ＢＣＣ）から誘導された構造単位８４モル％と６，６′−ジヒドロキシ−３，３，３′，３′−テトラメチルスピロビインダン（ＳＢＩ）から誘導された構造単位１６モル％とからなり、１５０℃未満のガラス転移温度、０．２％未満の吸水率、５０ブリュースター未満のＣg及び２５００ブリュースター未満のＣmを有するポリカーボネート。
【請求項１６】  １，１−ビス（４−ヒドロキシ−３−メチルフェニル）シクロヘキサン（ＢＣＣ）から誘導された構造単位８０〜８５モル％と、ビスフェノールＡ（ＢＰＡ）から誘導された構造単位１５〜２０モル％とからなるポリカーボネート。
【請求項１７】  （ａ）１，１−ビス（４−ヒドロキシ−３−メチルフェニル）シクロヘキサン、１，１−ビス（４−ヒドロキシ−３−メチルフェニル）シクロペンタン、１，１−ビス（４−ヒドロキシ−３−メチルフェニル）シクロヘプタン及びこれらの混合物の残基からなる群から選択される構造単位と、
（ｂ）６，６′−ジヒドロキシ−３，３，３′，３′−テトラメチルスピロビインダン（ＳＢＩ）、６，６′−ジヒドロキシ−３，３，５，３′，３′，５′−ヘキサメチルスピロビインダン、６，６′−ジヒドロキシ−３，３，５，７，３′，３′，５′，７′−オクタメチルスピロビインダン、５，５′−ジエチル−６，６′−ジヒドロキシ−３，３，３′，３′−テトラメチルスピロビインダン及びこれらの混合物の残基からなる群から選択される構造単位と
を含んでなり、１２０〜１８５℃のガラス転移温度及び０．３３％未満の吸水率を有する、ポリカーボネート。
【請求項１８】  請求項１乃至請求項１７のいずれか１項記載のポリカーボネートからなる製品。
【請求項１９】  製品が光学製品である、請求項１８記載の製品。
【請求項２０】  製品が光情報記録媒体である、請求項１８記載の製品。
【請求項２１】  製品が光情報記録媒体用基材である、請求項１８記載の製品。
【請求項２２】  製品が透明である、請求項１８記載の製品。
【請求項２３】  光情報記録媒体が書換え型光ディスクである、請求項２０記載の製品。
【請求項２４】  （Ａ１）（ａ）構造式（Ｉ）のカーボネート単位３０〜９９モル％
【化１５】
2002539310.tif 000015
（式中、Ｒ1又はＲ2の少なくとも１つは３位又は３′位にあることを条件として、Ｒ1及びＲ2は独立にＣ1〜Ｃ6アルキルからなる群から選択され、ＸはＣＨ2を表し、ｍは４〜７の整数であり、ｎは１〜４の整数であり、ｐは１〜４の整数である。）と、
（ｂ）下記の（１）〜（５）からなる群から選択されるカーボネート構造単位１〜７０モル％（ただし、（ｂ）がビスフェノールＡ（ＢＰＡ）だけからなるときは（ｂ）が当該ポリカーボネートの２０モル％以下をなすことを条件とする。）
（１）構造式（II）のカーボネート構造単位
【化１６】
2002539310.tif 000016
（式中、Ｒ3、Ｒ4及びＲ6は独立にＣ1〜Ｃ6アルキルを表し、各Ｒ5は独立にＨ及びＣ1〜Ｃ3アルキルからなる群から選択され、各ｎは独立に０、１及び２からなる群から選択され、Ｒ7はＨ又はＣ1〜Ｃ5アルキルである。）、
（２）構造式（III）のカーボネート構造単位
【化１７】
2002539310.tif 000017
（式中、Ｒ8、Ｒ9、Ｒ12及びＲ13は独立にＣ1〜Ｃ6アルキルであり、Ｒ10及びＲ11は独立にＨ又はＣ1〜Ｃ5アルキルであり、各Ｒ14は独立にＨ及びＣ1〜Ｃ3アルキルからなる群から選択され、各ｎは独立に０、１及び２からなる群から選択される。）、
（３）構造式（IV）のカーボネート構造単位
【化１８】
2002539310.tif 000018
（式中、Ｒ15は独立にＨ及びＣ1〜Ｃ3アルキルからなる群から選択され、Ｒ16及びＲ17は独立にＣ1〜Ｃ6アルキル又はアリールである。）、
（４）構造式（II）のカーボネート構造単位と構造式（III）のカーボネート構造単位、並びに
（５）構造式（III）のカーボネート構造単位と構造式（IV）のカーボネート構造単位
を含んでなり、１２０〜１８５℃のガラス転移温度及び０．３３％未満の吸水率を有する、ポリカーボネート９０〜９９．９９９９重量％、及び
（Ａ２）添加剤０．０００１〜１０％
を含んでなる光学製品。
【請求項２５】  ポリカーボネートがさらに構造単位（Ｖ）を含む、請求項２４記載の光学製品。
【化１９】
2002539310.tif 000019
（式中、ＺはＣ1〜Ｃ40枝分れ又は直鎖アルキル或いは枝分れ又は直鎖シクロアルキルである。）
【請求項２６】  （ａ）が次の式の構造単位であり
【化２０】
2002539310.tif 000020
（式中、Ｒ1及びＲ2はＣＨ3である。）、
（ｂ）が次の式の構造単位である
【化２１】
2002539310.tif 000021
請求項２４記載の光学製品。
【請求項２７】  光学製品が光情報記録媒体である、請求項２４記載の光学製品。
【請求項２８】  光学製品が光情報記録媒体用基材である、請求項２４記載の光学製品。
【請求項２９】  光学製品がオーディオ情報記憶用コンパクトディスクである、請求項２４記載の光学製品。
【請求項３０】  光学製品が書換え型光ディスクである、請求項２４記載の光学製品。
【請求項３１】  光学製品がＷＯＲＭ光ディスクである、請求項２４記載の光学製品。
【請求項３２】  ポリカーボネートを含む成形用組成物を成形する段階を含む光学製品の製造方法であって、ポリカーボネートが、
（ａ）構造式（Ｉ）のカーボネート構造単位３０〜９９モル％
【化２２】
2002539310.tif 000022
（式中、Ｒ1又はＲ2の少なくとも１つは３位又は３′位にあることを条件として、Ｒ1及びＲ2は独立にＣ1〜Ｃ6アルキルからなる群から選択され、ＸはＣＨ2を表し、ｍは４〜７の整数であり、ｎは１〜４の整数であり、ｐは１〜４の整数である。）、及び
（ｂ）以下の（１）〜（５）からなる群から選択されるカーボネート構造単位１〜７０モル％（ただし、（ｂ）がビスフェノールＡ（ＢＰＡ）だけからなるときは（ｂ）が当該ポリカーボネートの２０モル％以下をなすことを条件とする。）
（１）式（II）のカーボネート構造単位
【化２３】
2002539310.tif 000023
（式中、Ｒ3、Ｒ4及びＲ6は独立にＣ1〜Ｃ6アルキルを表し、各Ｒ5は独立にＨ及びＣ1〜Ｃ3アルキルからなる群から選択され、各ｎは独立に０、１及び２からなる群から選択され、Ｒ7はＨ又はＣ1〜Ｃ5アルキルである。）、
（２）式（III）のカーボネート構造単位
【化２４】
2002539310.tif 000024
（式中、Ｒ8、Ｒ9、Ｒ12及びＲ13は独立にＣ1〜Ｃ6アルキルであり、Ｒ10及びＲ11は独立にＨ又はＣ1〜Ｃ5アルキルであり、各Ｒ14は独立にＨ及びＣ1〜Ｃ3アルキルからなる群から選択され、各ｎは独立に０、１及び２からなる群から選択される。）、
（３）式（IV）のカーボネート構造単位
【化２５】
2002539310.tif 000025
（式中、各Ｒ15は独立にＨ及びＣ1〜Ｃ3アルキルからなる群から選択され、Ｒ16及びＲ17は独立にＣ1〜Ｃ6アルキル又はアリールである。）、
（４）構造式（II）のカーボネート構造単位と構造式（III）のカーボネート構造単位、並びに
（５）構造式（III）のカーボネート構造単位と構造式（IV）のカーボネート構造単位
を含んでなり、ポリカーボネートが１２０〜１８５℃のガラス転移温度及び０．３３％未満の吸水率を有する、方法。
【請求項３３】  光学製品が光情報記録媒体である、請求項３２記載の方法。
【請求項３４】  光学製品が光情報記録媒体用基材である、請求項３２記載の光学製品。
【請求項３５】  １，１−ビス（４−ヒドロキシ−３−メチルフェニル）シクロヘキサン（ＢＣＣ）から誘導された構造単位８４モル％と６，６′−ジヒドロキシ−３，３，３′，３′−テトラメチルスピロビインダン（ＳＢＩ）から誘導された構造単位１６モル％とを含んでなるポリカーボネートの製造方法であって、
Ａ）ＢＣＣ：ＳＢＩモル比８４：１６のＢＣＣモノマーとＳＢＩモノマーを触媒存在下でカーボネート源と混合して反応混合物を形成する段階、
Ｂ）反応混合物が溶融するまで反応混合物を加熱する段階、
Ｃ）混合物を熱平衡化させる段階、及び
Ｄ）１以上の反応段階で反応混合物から揮発性成分を除去して分子量を増大させる段階
を含んでなる方法。